(57)【要約】【課題】画像形成装置から送信される「処理」と「排出先」の設定が不一致である場合が生じても、用紙後処理装置側での受入れまたは適切な処置を可能とすることにより、ユーザーの使い勝手を向上させる。【解決手段】画像形成装置１００に付設され、主用紙搬送路と、主用紙搬送路から分岐した複数の副搬送路「プルーフ」１１１、「ストレート」１１２、「ステープル」１１３と、複数の服搬送路ごとに付設され、所定の用紙後処理を行なう用紙処理手段と、用紙処理手段別にそれぞれ用紙排出先側に付設されたトレイ４００，４０１，４０２と、を有する用紙処理装置であって、画像形成装置１００から指定された用紙処理と用紙排出先とが不一致の場合でも、画像形成装置１００からの用紙搬送を受入れる制御を実行する用紙搬送制御手段を備える。【選択図】        図３
2009091092.tif 000002
【特許請求の範囲】
【請求項１】
画像形成装置に付設され、
主用紙搬送路と、前記主用紙搬送路から分岐した複数の副搬送路と、前記複数の副搬送路ごとに付設され、所定の用紙後処理を行なう用紙処理手段と、前記用紙処理手段別にそれぞれ用紙排出先側に付設された用紙積載部と、を有する用紙処理装置であって、
前記画像形成装置から指定された用紙処理と用紙排出先とが不一致の場合でも、前記画像形成装置からの用紙搬送を受入れる制御を実行する用紙搬送制御手段を備えることを特徴とする用紙処理装置。
【請求項２】
前記用紙搬送制御手段は、用紙処理を優先させることを特徴とする請求項１に記載の用紙処理装置。
【請求項３】
前記用紙搬送制御手段は、用紙排出先を優先させることを特徴とする請求項１に記載の用紙処理装置。
【請求項４】
前記用紙搬送制御手段は、受入れた用紙に何も処理を施さずに、特定の用紙排出先に排出することを特徴とする請求項１に記載の用紙処理装置。
【請求項５】
前記用紙搬送制御手段は、用紙を受入れた時点で用紙処理の指示不良を前記画像形成装置側へ情報提供することを特徴とする請求項４に記載の用紙処理装置。
【請求項６】
前記用紙搬送制御手段は、用紙を受入れた時点で自動的に搬送停止することを特徴とする請求項５に記載の用紙処理装置。
【請求項７】
前記用紙搬送制御手段は、用紙を受入れる前に、用紙処理と用紙排紙先が不一致であることを前記画像形成装置に情報提供することを特徴とする請求項１に記載の用紙処理装置。
【請求項８】
主用紙搬送路と、前記主用紙搬送路から分岐した複数の副搬送路と、前記複数の搬送経路ごとに付設される用紙処理手段と、前記用紙処理手段別にそれぞれ用紙排出先側に付設された用紙積載部と、を有する用紙処理装置を備える画像形成装置であって、
前記用紙処理装置の用紙処理と用紙排紙先が不一致であることを前記用紙処理装置からの情報提供を受けて、画像形成を中止することを特徴とする画像形成装置。
【請求項９】
ユーザー設定を修正してもらうことをユーザーに指示することを特徴とする請求項８に記載の画像形成装置。
【請求項１０】
ユーザーが設定した用紙処理と用紙排出先が不一致の時点で、設定を修正してもらうことをユーザーに指示することを特徴とする請求項８または９に記載の画像形成装置。
【発明の詳細な説明】
【技術分野】
【０００１】
本発明は、用紙の搬送方向を切り替える機構を有する用紙処理装置および画像形成装置に関するものである。
【背景技術】
【０００２】
近年の用紙後処理装置においては、用紙に対して、パンチ、綴じ、仕分け、Ｚ折り等、様々な処理を施せることが一般的になっている。そのために、画像形成装置から搬送された用紙を、各処理ユニットが付設されている搬送経路へ分岐させ、処理を施した後、用紙積載トレイに排出するのが一般的な構成である。また、用紙に施す「処理」および「排出先」については、画像形成装置から用紙後処理装置側に情報が伝達され、その指示に従って、用紙後処理装置では用紙制御を行う機構になっているのが一般的である。
【０００３】
また、参考技術文献として複写機本体から排出される用紙の仕分けモードとしてステープルモードが選択されたとき、ステープル針が有るソータだけに仕分けを行なうように制御する技術が開示されている（たとえば、特許文献１参照）。
【０００４】
【特許文献１】特開平１０−１９４５７３号公報
【発明の開示】
【発明が解決しようとする課題】
【０００５】
しかしながら、上記に示されるような従来の機構にあっては、画像形成装置から送信される「処理」と「排出先」の設定が不一致であると、用紙後処理装置側では受入れできなくなりユーザーの使い勝手が著しく低下する。すなわち、ユーザー設定が不一致の場合と、画像形成装置から送信される情報にデータ不良が発生する場合とが考えられる。
【０００６】
本発明は、上記に鑑みてなされたものであって、画像形成装置から送信される「処理」と「排出先」の設定が不一致である場合が生じても、用紙後処理装置側での受入れまたは適切な処置を可能とすることにより、ユーザーの使い勝手を向上させることを目的とする。
【課題を解決するための手段】
【０００７】
上述した課題を解決し、目的を達成するために、請求項１にかかる発明は、画像形成装置に付設され、主用紙搬送路と、前記主用紙搬送路から分岐した複数の副搬送路と、前記複数の搬送路ごとに付設され、所定の用紙後処理を行なう用紙処理手段と、前記用紙処理手段別にそれぞれ用紙排出先側に付設された用紙積載部と、を有する用紙処理装置であって、前記画像形成装置から指定された用紙処理と用紙排出先とが不一致の場合でも、前記画像形成装置からの用紙搬送を受入れる制御を実行する用紙搬送制御手段を備えることを特徴とする。
【０００８】
また、請求項２にかかる発明は、前記用紙搬送制御手段は、用紙処理を優先させることを特徴とする。
【０００９】
また、請求項３にかかる発明は、前記用紙搬送制御手段は、用紙排出先を優先させることを特徴とする。
【００１０】
また、請求項４にかかる発明は、前記用紙搬送制御手段は、受入れた用紙に何も処理を施さずに、特定の用紙排出先に排出することを特徴とする。
【００１１】
また、請求項５にかかる発明は、前記用紙搬送制御手段は、用紙を受入れた時点で用紙処理の指示不良を前記画像形成装置側へ情報提供することを特徴とする。
【００１２】
また、請求項６にかかる発明は、前記用紙搬送制御手段は、用紙を受入れた時点で自動的に搬送停止することを特徴とする。
【００１３】
また、請求項７にかかる発明は、前記用紙搬送制御手段は、用紙を受入れる前に、用紙処理と用紙排紙先が不一致であることを前記画像形成装置に情報提供することを特徴とする。
【００１４】
また、請求項８にかかる発明は、主用紙搬送路と、前記主用紙搬送路から分岐した複数の副搬送路と、前記複数の搬送経路ごとに付設される用紙処理手段と、前記用紙処理手段別にそれぞれ用紙排出先側に付設された用紙積載部と、を有する用紙処理装置を備える画像形成装置であって、前記用紙処理装置の用紙処理と用紙排紙先が不一致であることを前記用紙処理装置からの情報提供を受けて、画像形成を中止することを特徴とする。
【００１５】
また、請求項９にかかる発明は、ユーザー設定を修正してもらうことをユーザーに指示することを特徴とする。
【００１６】
また、請求項１０にかかる発明は、ユーザーが設定した用紙処理と用紙排出先が不一致の時点で、設定を修正してもらうことをユーザーに指示することを特徴とする。
【発明の効果】
【００１７】
本発明（請求項１）にかかる用紙処理装置は、「処理」と「排出先」の設定が一致しないような情報が用紙処理装置に送信されても、用紙を受入れる制御になっているので、システムを不測の事態（ジャムなど）の停止状態に遷移させる必要がなく、その後、操作性の悪化を防止することができるという効果を奏する。
【００１８】
また、本発明（請求項２）にかかる用紙処理装置は、「処理」と「排出先」の設定が一致しないような情報が用紙処理装置に送信されたとき、用紙処理装置側で「処理」の情報を優先させるように制御しているので、システムを不測の事態（ジャムなど）の停止状態に遷移させる必要がなく、その後操作性の悪化を防止することができるという効果を奏する。
【００１９】
また、本発明（請求項３）にかかる用紙処理装置は、「処理」「と排出先」の設定が一致しないような情報が用紙処理装置に送信されたとき、用紙処理装置側で「排出先」の情報を優先させるように制御しているので、システムを不測の事態（ジャムなど）の停止状態に遷移させる必要がなく、その後操作性の悪化を防止することができるという効果を奏する。
【００２０】
また、本発明（請求項４）にかかる用紙処理装置は、「処理」と「排出先」の設定が一致しないような情報が用紙処理装置に送信されたとき、「処理」を施さず、ある決められた排出先に排出するように制御しているので、システムを不測の事態（ジャムなど）の停止状態に遷移させる必要がなく、その後操作性の悪化を防止することができるという効果を奏する。
【００２１】
また、本発明（請求項５）にかかる用紙処理装置は、「処理」と「排出先」の設定が一致しないような情報が用紙処理装置に送信されたとき、用紙を受入れるときに「用紙受入れ不可」の情報を画像形成装置に送信するようになっているので、その後の無駄な用紙搬送を防止することができるという効果を奏する。
【００２２】
また、本発明（請求項６）にかかる用紙処理装置は、「処理」と「排出先」の設定が一致しないような情報が用紙処理装置に送信されたとき、用紙を受入れた時点で、用紙処理装置が自動的に搬送を停止させるように制御しているので、その後の無駄な用紙搬送を防止することができるという効果を奏する。
【００２３】
また、本発明（請求項７）にかかる用紙処理装置は、「処理」と「排出先」の設定が一致しないような情報が用紙処理装置に送信されたとき、「用紙受入れ不可」の情報を画像形成装置に送信するとともに、画像形成装置からの用紙搬送を制限させるように制御されているので、その後無駄な用紙搬送を防止することができるという効果を奏する。
【００２４】
また、本発明（請求項８）にかかる画像形成装置は、「処理」と「排出先」の設定が一致しないような情報が用紙処理装置に送信されたとき、画像形成装置が、用紙の搬送を中止するように制御しているので、その後の無駄な用紙搬送を防止することができるという効果を奏する。
【００２５】
また、本発明（請求項９）にかかる画像形成装置は、「処理」と「排出先」の設定が一致しないような情報が用紙処理装置に送信されたとき、ユーザーに設定を修正してもらうようにパネル表示するように制御しているので、無駄な起動をかけることなく、無駄な用紙、エネルギーの消費を抑えることができるという効果を奏する。
【００２６】
また、本発明（請求項１０）にかかる画像形成装置は、ユーザーが設定した用紙処理と用紙排出先が不一致の時点で、設定を修正してもらうようにパネル表示するように制御しているので、用紙処理装置側への無駄な通信を防止することができ、処理の高速化がはかれるという効果を奏する。
【発明を実施するための最良の形態】
【００２７】
以下に添付図面を参照して、この発明にかかる用紙処理装置および画像形成装置の最良な実施の形態を詳細に説明する。
【００２８】
（実施の形態）
まず、画像形成装置、用紙処理装置およびその内部の搬送切替え機構および各処理ユニットの概略について、図を参照して説明する。図１は、本発明の実施の形態にかかる用紙処理装置を備えた画像形成するシステムの外観構成を示す説明図である。図示するように、用紙搬送装置１１０は、画像形成装置１００の排紙側に付設されており、画像形成装置１００から排出された用紙を受入れて、画像形成装置１００の操作部からの入力指示により、パンチ処理、ステープル処理、ソート処理といった後処理を施す。
【００２９】
また、図２に示すように、画像形成装置１０と用紙処理装置１１０とは、通信によるデータの送受信ができるように、電線などを用いたインターフェイスＣ１２０が接続されている。
【００３０】
また、図３に示すように、用紙搬送装置１１０には、パンチ処理、シフト仕分け、ステープル処理といったさまざまな処理ユニットが付設されている。用紙受入れ部の主用紙搬送路上には、パンチユニット２００が設置されている。その下流には、副搬送路が３つの方向に設けられている。この副搬送路は、副搬送路「プルーフ」１１１、副搬送路「ストレート」１１２、副搬送路「ステープル」１１３の処理を施す方向に分かれており、その分岐点には分岐爪が揺動可能な状態で設置されている。プルーフ分岐爪３００は「プルーフ搬送とストレート搬送の切替え」、ステープル分岐爪３０１は「ストレート搬送とステープル搬送の切替え」が行えるように揺動可能になっている。プルーフ分岐爪３００およびステープル分岐爪３０１の軸端には、分岐爪を揺動させるための図示しない揺動手段（たとえばソレノイドを駆動源とする駆動機構）が連結されている。
【００３１】
副搬送路「プルーフ」１１１の下流側には、処理ユニットは付設されておらず、排出された用紙を受入れるトレイ４００のみが排出先として設けられている。また、副搬送路「ストレート」１１１の下流側には、搬送方向と垂直の方向に用紙をシフトさせるシフトユニット５００が付設されており、その下流側には、排出される用紙を受入れるトレイ４０１が付設されている。また、副搬送路「ステープル１１２」の下流側には、ステープルユニット５０１が付設されており、その下流側に、ステープルされた用紙束を受け入れるトレイ４０２が付設されている。なお、ステープルユニット５０１は操作部の指示にしたがって、ユニットをスライド移動して端面綴じ、中綴じを選択的に行うように構成されている。
【００３２】
図４は、前述した画像形成システムの制御系の主構成を示すブロック図である。画像形成装置１００には、本画像形成システムを統括的に制御するシステムコントローラ１０１、ユーザーによる各種設定やその設定状態や装置の状態などをパネル表示する操作部１０２、用紙処理装置１１０とのインターフェイス制御をインターフェイスＣ１２０を介して行うためのＩ／Ｆ部１０３、が設けられている。また、用紙処理装置１１０には、画像形成装置１００からの指示にしたがって本装置を制御する制御部１０５、画像形成装置１００とのインターフェイス制御をインターフェイスＣ１２０を介して行うためのＩ／Ｆ部１０３、が設けられている。このように、画像形成装置１００にはユーザーが設定する操作部１０２が備えてあり、「処理」および「排出先」を選択できるように設定ボタン等が表示される。
【００３３】
つぎに、上記のように構成された画像形成システムにおける用紙搬送制御例について説明する。なお、これらの制御は、操作部１０２のユーザー入力にしたがってシステムコントローラ１０１から制御１０５に制御信号が送信され、制御部１０５によって実行される。
【００３４】
図５は、本発明の実施の形態にかかる用紙搬送の制御動作例（その１）を示すフローチャートである。まず、電源ＯＮ状態で待機中に、用紙処理装置１１０に制御実行の命令がシステムコントローラ１０１から制御部１０５に送信されると、制御部１０５は画像形成装置１００から排紙される用紙を受け入れ所定の搬送および処理を実行ため通紙開始を行う（ステップＳ１）。制御部１０５は、用紙処理におけるユーザーが設定した処理Ｘ、排紙先Ｙを認識し（ステップＳ２）、本装置を起動する（ステップＳ３）。つづいて、処理Ｘ、排紙先Ｙの内容が何れであるかを判断する（ステップＳ４）。ここでの判断は図示の右上に示す図表にしたがって行う。このテップＳ４において図表の[１]の処理Ｘ、排紙先Ｙであると判断した場合、プルーフ分岐爪３００をＯＮしてプルーフ処理とし、用紙の後処理なしとしてトレイ４００に排紙し（ステップＳ５）、停止する（ステップＳ１１）。
【００３５】
一方、ステップＳ４において図表の[２]の処理Ｘ、排紙先Ｙであると判断した場合、後処理を実行せずにストレート搬送してシフトトレイであるトレイ４０１に排出して（ステップＳ６）、停止する（ステップＳ１１）。また、ステップＳ４において図表の[３]の処理Ｘ、排紙先Ｙであると判断した場合、シフト処理を実行してストレート搬送してシフトトレイであるトレイ４０１に排出して（ステップＳ７）、停止する（ステップＳ１１）。
【００３６】
また、ステップＳ４において図表の[４]の処理Ｘ、排紙先Ｙであると判断した場合、ステープル分岐爪３０１をＯＮしステープルユニット５０１に搬送し、ここで用紙束の端面綴じを行い、トレイ４０１に排紙して（ステップＳ８）、停止する（ステップＳ１１）。また、ステップＳ４において図表の[５]の処理Ｘ、排紙先Ｙであると判断した場合、ステープル分岐爪３０１をＯＮしてステープルユニット５０１に搬送し、ここで用紙束の中綴じを行い、ステープルトレイであるトレイ４０２に排紙して（ステップＳ９）、停止する（ステップＳ１１）。また、ステップＳ４において図表の[米印]の処理Ｘ、排紙先Ｙであると判断した場合、何れかの通紙モードに設定して（ステップＳ１０）、停止する（ステップＳ１１）。
【００３７】
このように、図５においては、「処理」、「排出先」の設定が一致しないような情報が用紙処理装置１１０に送信されても、用紙を受入れる制御になっている。したがって、「処理」、「排出先」の設定が一致しないような情報が用紙処理装置に送信されても、用紙を受入れる制御になっているので、システムを不測の事態（ジャムなど）の停止状態に遷移させる必要がなく、その後操作性の悪化を防止することができる。
【００３８】
図６は、本発明の実施の形態にかかる用紙搬送の制御動作例（その２）を示すフローチャートである。このフローチャートにおいてステップＳ２１〜Ｓ２４の処理は図５の処理と同様であるので、ここでの重複説明は省略する。ステップＳ２４において図表の[丸印]の処理Ｘ、排紙先Ｙであると判断した場合、ユーザーが設定した動作を実行して（ステップＳ２５）、停止する（ステップＳ３０）。
【００３９】
一方、ステップＳ２４において図表の[１]の処理Ｘ、排紙先Ｙであると判断した場合、プルーフ分岐爪３００をＯＮしてプルーフ処理とし、用紙の後処理なしとしてトレイ４００に排紙し（ステップＳ２６）、停止する（ステップＳ３０）。また、ステップＳ２４において図表の[２]、[３]の処理Ｘ、排紙先Ｙであると判断した場合、後処理を実行せずにストレート搬送してシフトトレイであるトレイ４０１に排出して（ステップＳ２７）、停止する（ステップＳ３０）。また、ステップＳ２４において図表の[４]、[５]の処理Ｘ、排紙先Ｙであると判断した場合、ステープル分岐爪３０１をＯＮしステープルユニット５０１に搬送し、ここで用紙束の端面綴じを行い、トレイ４０１に排紙して（ステップＳ２８）、停止する（ステップＳ３０）。また、ステップＳ２４において図表の[６]、[７]の処理Ｘ、排紙先Ｙであると判断した場合、ステープル分岐爪３０１をＯＮしてステープルユニット５０１に搬送し、ここで用紙束の中綴じを行い、ステープルトレイであるトレイ４０２に排紙して（ステップＳ２９）、停止する（ステップＳ３０）。
【００４０】
このように、図６の動作では、「処理」、「排出先」の設定が一致しないような情報が用紙処理装置１１０に送信されたとき、用紙処理装置側で「処理」の情報を優先させるように制御している。したがって、「処理」、「排出先」の設定が一致しないような情報が用紙処理装置１１０に送信されたとき、用紙処理装置１１０側で「処理」の情報を優先させるように制御しているので、システムを不測の事態（ジャムなど）の停止状態に遷移させる必要がなく、その後操作性の悪化を防止することができる。
【００４１】
図７は、本発明の実施の形態にかかる用紙搬送の制御動作例（その３）を示すフローチャートである。このフローチャートにおいてステップＳ３１〜Ｓ３４の処理は図５の処理と同様であるので、ここでの重複説明は省略する。ステップＳ３４において図表の[丸印]の処理Ｘ、排紙先Ｙであると判断した場合、ユーザーが設定した動作を実行して（ステップＳ３５）、停止する（ステップＳ３９）。
【００４２】
一方、ステップＳ３４において図表の[１]、[３]、[５]の処理Ｘ、排紙先Ｙであると判断した場合、用紙後処理を行わずに、ステープル分岐爪３０１をＯＮし、ステープルトレイであるトレイ４０２に排紙して（ステップＳ３６）、停止する（ステップＳ３９）。また、ステップＳ３４において図表の[２]、[４]、[６]の処理Ｘ、排紙先Ｙであると判断した場合、用紙後処理を行わずに、ステープル分岐爪３０１をＯＮし、プルーフトレイであるトレイ４００に排紙して（ステップＳ３７）、停止する（ステップＳ３９）。また、ステップＳ３４において図表の[７]の処理Ｘ、排紙先Ｙであると判断した場合、用紙後処理を行わずに、ステープル分岐爪３０１をＯＮし、シフトトレイであるトレイ４０１に排紙して（ステップＳ３８）、停止する（ステップＳ３９）。
【００４３】
このように、図７の動作において、「処理」、「排出先」の設定が一致しないような情報が用紙処理装置１１０に送信されたとき、用紙処理装置１１０側で「排出先」の情報を優先させるように制御している。したがって、「処理」、「排出先」の設定が一致しないような情報が用紙処理装置に送信されたとき、用紙処理装置側で「排出先」の情報を優先させるように制御しているので、システムを不測の事態（ジャムなど）の停止状態に遷移させる必要がなく、その後操作性の悪化を防止することができる。
【００４４】
図８は、本発明の実施の形態にかかる用紙搬送の制御動作例（その４）を示すフローチャートである。このフローチャートにおいてステップＳ４１〜Ｓ４４の処理は図５の処理と同様であるので、ここでの重複説明は省略する。ステップＳ４４において図表の[丸印]の処理Ｘ、排紙先Ｙであると判断した場合、ユーザーが設定した動作を実行して（ステップＳ４５）、停止する（ステップＳ４７）。一方、ステップＳ４４において図表の[米印]の処理Ｘ、排紙先Ｙであると判断した場合、用紙後処理を行わずに、プルーフ分岐爪３００をＯＮし、トレイ４００に排紙して（ステップＳ４６）、停止する（ステップＳ４７）。
【００４５】
このように、図８の動作においては、「処理」、「排出先」の設定が一致しないような情報が用紙処理装置１１０に送信されたとき、「処理」を施さず、ある決められた排出先に排出するように制御している。したがって、「処理」、「排出先」の設定が一致しないような情報が用紙処理装置１１０に送信されたとき、「処理」を施さず、ある決められた排出先に排出するように制御しているので、システムを不測の事態（ジャムなど）の停止状態に遷移させる必要がなく、その後操作性の悪化を防止することができる。
【００４６】
図９は、本発明の実施の形態にかかる用紙搬送の制御動作例（その５）を示すフローチャートである。このフローチャートにおいてステップＳ５１〜Ｓ５４の処理は図５の処理と同様であるので、ここでの重複説明は省略する。ステップＳ５４において図表の[丸印]の処理Ｘ、排紙先Ｙであると判断した場合、ユーザーが設定した動作を実行して（ステップＳ５５）、停止する（ステップＳ５９）。一方、ステップＳ５４において図表の[米印]の処理Ｘ、排紙先Ｙであると判断した場合、用紙後処理装置１１０を起動し（ステップＳ５６）、１枚目が入口センサに到達したことを検知すると（ステップＳ５７）、『用紙処理不良』であることを送信し（ステップＳ５８）、停止する（ステップＳ５９）。
【００４７】
このように、図９に示す動作においては、「処理」、「排出先」の設定が一致しないような情報が用紙処理装置１１０に送信されたとき、用紙を受入れる時に「用紙受入れ不可」の情報を画像形成装置１００に送信するようになっている。したがって、「処理」、「排出先」の設定が一致しないような情報が用紙処理装置１１０に送信されたとき、用紙を受入れるときに「用紙受入れ不可」の情報を画像形成装置１００に送信するようになっているので、その後の無駄な用紙搬送を防止することができる。
【００４８】
図１０は、本発明の実施の形態にかかる用紙搬送の制御動作例（その６）を示すフローチャートである。このフローチャートにおいてステップＳ６１〜Ｓ６４の処理は図５の処理と同様であるので、ここでの重複説明は省略する。ステップＳ６４において図表の[丸印]の処理Ｘ、排紙先Ｙであると判断した場合、ユーザーが設定した動作を実行して（ステップＳ６５）、停止する（ステップＳ６９）。一方、ステップＳ６４において図表の[米印]の処理Ｘ、排紙先Ｙであると判断した場合、用紙後処理装置１１０を起動し（ステップＳ６６）、１枚目を入口センサに到達すると（ステップＳ６７）、自動停止する（ステップＳ６８）。
【００４９】
このように、図１０に示す動作においては、「処理」、「排出先」の設定が一致しないような情報が用紙処理装置１１０に送信されたとき、用紙を受入れた時点で、用紙処理装置１１０が自動的に搬送を停止させるように制御している。したがって、「処理」、「排出先」の設定が一致しないような情報が用紙処理装置に送信されたとき、用紙を受入れた時点で、用紙処理装置１１０が自動的に搬送を停止させるように制御しているので、その後の無駄な用紙搬送を防止することができる。
【００５０】
図１１は、本発明の実施の形態にかかる用紙搬送の制御動作例（その７）を示すフローチャートである。このフローチャートにおいてステップＳ７１〜Ｓ７４の処理は図５の処理と同様であるので、ここでの重複説明は省略する。ステップＳ７４において図表の[丸印]の処理Ｘ、排紙先Ｙであると判断した場合、ユーザーが設定した動作を実行して（ステップＳ７５）、停止する（ステップＳ７７）。一方、ステップＳ７４において図表の[米印]の処理Ｘ、排紙先Ｙであると判断した場合、『用紙処理指示不良』であることを送信し（ステップＳ７６）、停止する（ステップＳ７７）。
【００５１】
このように、図１１に示す動作については、「処理」、「排出先」の設定が一致しないような情報が用紙処理装置１１０に送信されたとき、「用紙受入れ不可」の情報を画像形成装置１００に送信するとともに、画像形成装置１００からの用紙搬送を制限させるように制御されている。したがって、「処理」「排出先」の設定が一致しないような情報が用紙処理装置１１０に送信されたとき、「用紙受入れ不可」の情報を画像形成装置に送信するとともに、画像形成装置１００からの用紙搬送を制限させるように制御されているので、その後無駄な用紙搬送を防止することができる。
【００５２】
図１２は、本発明の実施の形態にかかる用紙搬送の制御動作例（その８）を示すフローチャートである。このフローチャートにおいてステップＳ８１〜Ｓ８４の処理は図５の処理と同様であるので、ここでの重複説明は省略する。ステップＳ８４において図表の[丸印]の処理Ｘ、排紙先Ｙであると判断した場合、ユーザーが設定した動作を実行して（ステップＳ８５）、停止する（ステップＳ８８）。一方、ステップＳ８４において図表の[米印]の処理Ｘ、排紙先Ｙであると判断した場合、『用紙処理指示不良』であることを送信し（ステップＳ８６）、さらに『通紙中止』を用紙処理装置１１０に送信し（ステップＳ８７）、停止する（ステップＳ８８）。
【００５３】
このように、図１２に示す動作については、「処理」、「排出先」の設定が一致しないような情報が用紙処理装置１１０に送信されたとき、画像形成装置１００が、用紙の搬送を中止するように制御している。したがって、「処理」「排出先」の設定が一致しないような情報が用紙処理装置１１０に送信されたとき、画像形成装置１００が、用紙の搬送を中止するように制御しているので、その後の無駄な用紙搬送を防止することができる。
【００５４】
図１３は、本発明の実施の形態にかかる用紙搬送の制御動作例（その９）を示すフローチャートである。このフローチャートにおいてステップＳ９１〜Ｓ９４の処理は図５の処理と同様であるので、ここでの重複説明は省略する。ステップＳ９４において図表の[丸印]の処理Ｘ、排紙先Ｙであると判断した場合、ユーザーが設定した動作を実行して（ステップＳ９５）、停止する（ステップＳ９６）。一方、ステップＳ９４において図表の[米印]の処理Ｘ、排紙先Ｙであると判断した場合、『用紙処理指示不良』であることを送信し（ステップＳ９７）、さらに『通紙中止』を用紙処理装置１１０に送信し（ステップＳ９８）、停止する（ステップＳ９９）。さらに、通紙を終了して（ステップＳ１００）、「処理」、「排出先」設定の修正をたとえば操作部１０２に表示する（ステップＳ１０１）。
【００５５】
このように、図１３に示す動作については、「処理」、「排出先」の設定が一致しないような情報が用紙処理装置に送信されたとき、ユーザーに設定を修正してもらうようにパネル表示するように制御している。したがって、「処理」、「排出先」の設定が一致しないような情報が用紙処理装置に送信されたとき、ユーザーに設定を修正してもらうようにパネル表示するように制御しているので、無駄な起動をかけることなく、無駄な用紙、エネルギーの消費を抑えることができる。
【００５６】
図１４は、本発明の実施の形態にかかる用紙搬送の制御動作例（その１０）を示すフローチャートである。まず、制御部１０５は、用紙処理におけるユーザーが設定した処理Ｘ、排紙先Ｙを認識し（ステップＳ１１１）、図示の右上に示す図表にしたがって処理Ｘ、排紙先Ｙの内容が何れであるかを判断する（ステップＳ１１２）。このテップＳ１１２において図表の[丸印]の処理Ｘ、排紙先Ｙであると判断した場合、通紙を開始し（ステップＳ１１３）、起動開始して（ステップＳ１１４）、ユーザーが設定した動作を実行して（ステップＳ１１５）、停止する（ステップＳ１１６）。一方、ステップＳ１１２において図表の[米印]の処理Ｘ、排紙先Ｙであると判断した場合、「処理」、「排出先」の設定の修正をたとえば操作部１０２に表示する（ステップＳ１１７）。
【００５７】
このように、図１４に示す動作については、ユーザーが設定した用紙処理と用紙排出先が不一致の時点で、設定を修正してもらうようにパネル表示するように制御している。したがって、ユーザーが設定した用紙処理と用紙排出先が不一致の時点で、設定を修正してもらうようにパネル表示するように制御しているので、用紙処理装置１１０側への無駄な通信を防止することができ、処理の高速化がはかれる。
【産業上の利用可能性】
【００５８】
以上のように、本発明にかかる用紙処理装置および画像形成装置は、複写機、プリンタなどに有用であり、特に、複数の用紙後処理モードと複数の排紙トレイを有し、処理ごとに排紙トレイに処理後の用紙を排紙するシステムに適している。
【図面の簡単な説明】
【００５９】
【図１】本発明の実施の形態にかかる用紙処理装置を備えた画像形成するシステムの外観構成を示す説明図である。
【図２】図１における画像形成装置と用紙処理装置とのインターフェイス接続を示す説明図である。
【図３】図１における用紙処理装置の構成を示す説明図である。
【図４】画像形成システムの制御系の主構成を示すブロック図である。
【図５】本発明の実施の形態にかかる用紙搬送の制御動作例（その１）を示すフローチャートである。
【図６】本発明の実施の形態にかかる用紙搬送の制御動作例（その２）を示すフローチャートである。
【図７】本発明の実施の形態にかかる用紙搬送の制御動作例（その３）を示すフローチャートである。
【図８】本発明の実施の形態にかかる用紙搬送の制御動作例（その４）を示すフローチャートである。
【図９】本発明の実施の形態にかかる用紙搬送の制御動作例（その５）を示すフローチャートである。
【図１０】本発明の実施の形態にかかる用紙搬送の制御動作例（その６）を示すフローチャートである。
【図１１】本発明の実施の形態にかかる用紙搬送の制御動作例（その７）を示すフローチャートである。
【図１２】本発明の実施の形態にかかる用紙搬送の制御動作例（その８）を示すフローチャートである。
【図１３】本発明の実施の形態にかかる用紙搬送の制御動作例（その９）を示すフローチャートである。
【図１４】本発明の実施の形態にかかる用紙搬送の制御動作例（その１０）を示すフローチャートである。
【符号の説明】
【００６０】
１００  画像形成装置
１０１  システムコントローラ
１０２  操作部
１０３，１０６  Ｉ／Ｆ
１０５  制御部
１１０  用紙処理装置
１１１  副搬送路「プルーフ」
１１２  副搬送路「ストレート」
１１３  副搬送路「ステープル」
２００  パンチユニット
３００  プルーフ分岐爪
３０１  ステープル分岐爪
４００，４０１，４０２  トレイ
５００  シフトユニット
５０１  ステープルユニット
【図１】
2009091092.tif 000003
【図２】
2009091092.tif 000004
【図３】
2009091092.tif 000005
【図４】
2009091092.tif 000006
【図５】
2009091092.tif 000007
【図６】
2009091092.tif 000008
【図７】
2009091092.tif 000009
【図８】
2009091092.tif 000010
【図９】
2009091092.tif 000011
【図１０】
2009091092.tif 000012
【図１１】
2009091092.tif 000013
【図１２】
2009091092.tif 000014
【図１３】
2009091092.tif 000015
【図１４】
2009091092.tif 000016